(57)【要約】  本発明は、本体（２）と、本体にスライド可能に配置されており、２つの側壁（４）を有する少なくとも１つの引出要素（３）と、側壁（４）と本体（２）の側壁（２１、２２）との間に配置されている各引出ガイド（５）と、本体（２）の側壁（２１、２２）に固定することができる少なくとも１つの本体レール（５１）およびサイドパネル（４）に固定することができる主レール（５２）を有する引出ガイド（５）の各々と、引出ガイド（５）の１つに結合された少なくとも１つの機能ユニット（６）とを備える家具または家電製品の構成要素であって、側壁（４）の少なくとも１つでは、引出ガイド（５）から離れて配置された機能ユニット（６）が、取り外し可能に配置されており、本体（２）に関する引出要素（３）の所定の位置の機能ユニット（６）が、本体（２）または本体レール（５１）に固定して取り付けられたカウンター要素（７、１５）に動作可能に接続されている、家具または家電製品の構成要素に関する。本発明はさらに、家具または家電製品の構成要素に引出要素（３）の機能ユニット（６）を取り付ける方法に関する。【選択図】図１
2021514822.tif 000002
【特許請求の範囲】
【請求項１】
本体（２）と、
前記本体（２）に移動可能に配置され、２つの側壁（４）を有する少なくとも１つの引出要素（３）と、を備えている家具または家電製品の構成要素であって、
各引出ガイド（５）が、前記引出要素（３）の側壁（４）と前記本体（２）の側壁（２１、２２）との間に配置されており、
前記引出ガイド（５）の各々が、前記本体（２）の側壁（２１、２２）に固定可能な少なくとも１つの本体レール（５１）と、前記側壁（４）に固定可能なスライドレール（５２）と、前記引出ガイド（５）の１つに結合された少なくとも１つの機能ユニット（６）、とを備えており、
前記少なくとも１つの機能ユニット（６）が、前記引出ガイド（５）から離れて、前記側壁（４）の少なくとも１つに解放可能に配置されており、
前記本体（２）に関する前記引出要素（３）の所定の位置で、前記機能ユニット（６）が、前記本体（２）または前記本体レール（５１）の所定の位置に固定して取り付けられたカウンター要素（７、１５）に動作可能に接続されていることを特徴とする、家具または家電製品の構成要素。
【請求項２】
前記カウンター要素（７、１５）が、前記引出要素（３）の開放方向（ｘ）の前記本体レール（５１）の後端、または前記本体レール（５１）の後端に近い前記本体（２）の領域に配置されていることを特徴とする、請求項１に記載の家具または家電製品の構成要素。
【請求項３】
前記カウンター要素（７、１５）が、少なくとも２つの部分に形成されていることを特徴とする、請求項１または２に記載の家具または家電製品の構成要素。
【請求項４】
前記機能ユニット（６）が、二重壁領域に配置されており、そのため、前記側壁（４）のうちの１つの２つの壁領域の間において、外部から見えないことを特徴とする、請求項１から３のいずれか一項に記載の家具または家電製品の構成要素。
【請求項５】
前記引出要素（３）の開放方向（ｘ）の側壁の後端において、後部開放端面（４４）に向けて開いた収容スペース（４２）が、前記機能ユニット（６）を収容するために形成されており、前記収容スペース（４２）に、前記機能ユニット（６）の解放可能な固定のために少なくとも１つの固定要素（４４）が配置されていることを特徴とする、請求項１から４のいずれか一項に記載の家具または家電製品の構成要素。
【請求項６】
前記固定要素（４４）が、前記機能ユニット（６）に形成された少なくとも１つのカウンターキャッチ要素でロックするためのキャッチ要素として形成されていることを特徴とする、請求項５に記載の家具または家電製品の構成要素。
【請求項７】
前記カウンター要素（７）が、前記サイドパネル（４）の後部開放端面（４４）を通って前記引出要素（３）の閉位置で前記機能ユニット（６）と接触していることを特徴とする、請求項５または６に記載の家具または家電製品の構成要素。
【請求項８】
前記カウンター要素（１５）が、前記本体（２）の前記側壁（２１、２２）に面する前記サイドパネル（４）の外壁（４３）の開口部（４５）を通って前記引出要素（３）の閉位置で前記機能ユニット（６）と接触していることを特徴とする、請求項１から６のいずれか一項に記載の家具または家電製品の構成要素。
【請求項９】
前記機能ユニット（６）が、自己リトラクターデバイス（８）を備えていることを特徴とする、請求項１から８のいずれか一項に記載の家具または家電製品の構成要素。
【請求項１０】
前記機能ユニット（６）が、排出デバイス（８）を備えていることを特徴とする、請求項９に記載の家具または家電製品の構成要素。
【請求項１１】
前記機能ユニット（６）が、減衰ユニット（８２）を備えていることを特徴とする、請求項９に記載の家具または家電製品の構成要素。
【請求項１２】
前記カウンター要素（７、１５）が、前記本体（２）または前記本体レール（５１）に固定するための基部７１、１５１と、前記機能ユニット（６）内で係合するためのヘッド部（７４、１５２）とを有するアクティベーターとして設計されることを特徴とする、請求項９から１１のいずれか一項に記載の家具または家電製品の構成要素。
【請求項１３】
前記機能ユニット（６）が、ロックユニットを備えていることを特徴とする、請求項１から１２のいずれか一項に記載の家具または家電製品の構成要素。
【請求項１４】
引出要素（３）の機能ユニット（６）を請求項１から１３のいずれか一項に記載の家具または家電製品の構成要素に取り付ける方法であって、前記引出要素（３）の前記側壁（４）に前記引出ガイド（５）を取り付ける前に、前記少なくとも１つの機能ユニット（６）が、凹部を通って、特に前記側壁（４）の後部開放端面（４４）を通って差し込まれるとともに固定され、前記カウンター要素（７、１５）が、前記本体レール（５１）または前記本体（２）に固定される、方法。
【請求項１５】
２部品のカウンター要素（７、１５）の第１の部品が、前記本体レール（５１）または前記本体（２）に永久に固定され、前記機能ユニット（６）の取り付けが完了した後に、前記カウンター要素（７、１５）の少なくとも１つの第２の部分が、前記カウンター要素（７、１５）の前記第１の部分に取り付けられる、請求項１４に記載の方法。
【発明の詳細な説明】
【技術分野】
【０００１】
本発明は、請求項１の前文に記載の家具または家電製品の構成要素(piece)に関する。本発明はさらに、このような家具または家電製品の構成要素に引出要素の機能ユニットを取り付ける方法に関する。
【背景技術】
【０００２】
その本体に、少なくとも１つの移動可能に配置された引出要素が、例えば、引出の形態で配置されている、このような家具または家電製品の構成要素が、先行技術からの多くの変形例で知られている。
【０００３】
この場合に、引出要素は、引出ガイドを用いて本体内で移動可能に保持され、引出ガイドを用いて本体から引き出したり、本体内に押し込んだりすることができる。
【０００４】
少なくとも１つの引出要素の便利な操作のために、引出ガイドまたは引出ガイドの少なくとも１つが、例えば、自己リトラクターまたは排出デバイスまたはロックユニットの形態の機能ユニットに結合されている。
【０００５】
このようなシステムが、例えば、独国特許出願公開第１０２０１００００２７９号明細書または独国特許出願公開第１０２０１１０５２５６４号明細書から知られている。
【先行技術文献】
【特許文献】
【０００６】
【特許文献１】独国特許出願公開第１０２０１００００２７９号明細書
【特許文献２】独国特許出願公開第１０２０１１０５２５６４号明細書
【発明の概要】
【発明が解決しようとする課題】
【０００７】
先行技術から知られている家具または家電製品の構成要素では、種々のコンポーネントの配置のために、一般に各家具または家電製品の構成要素の組み立て中に、どのタイプの機能ユニットを家具または家電製品の構成要素に取り付けるべきかを確立する必要があることが問題である。
【０００８】
各機能ユニットは、所望の機能を実行するために他のコンポーネントとともに家具の本体に取り付ける必要がある。
【０００９】
本発明の目的は、このような機能ユニットを後でも簡単に取り付けることができる家具または家電製品の構成要素を提供することである。
【００１０】
本発明のさらなる目的は、家具または家電製品の構成要素に引出要素の機能ユニットを簡単に取り付ける方法を提供することである。
【課題を解決するための手段】
【００１１】
第１の目的は、請求項１の特徴を有する家具または家電製品の構成要素により達成される。
【００１２】
第２の目的は、請求項１４の特徴を有する方法により達成される。
【００１３】
本発明による家具または家電製品の構成要素は本体を備えている。２つの側壁を有する少なくとも１つの移動可能な引出要素が本体に配置されている。各引出ガイドが引出要素の側壁と本体の側壁との間に配置されている。
【００１４】
引出ガイドの各々は、本体の側壁に固定可能な少なくとも１つの本体レールと、引出要素の側壁に固定可能なスライドレールとを備えている。家具または家電製品の構成要素はさらに、引出ガイドの１つに結合された少なくとも１つの機能ユニットを備えている。
【００１５】
この場合に、少なくとも１つの機能ユニットが、引出ガイドから離れて、側壁の少なくとも１つに取り外し可能に配置されており、本体に関する引出要素の所定の位置で、本体または本体レールの所定の位置に固定して取り付けられたカウンター要素に動作可能に接続されている。
【００１６】
したがって、これにより、機能ユニットを引出要素の側壁に簡単に固定することができ、そこから簡単に取り外すこともできる。
【００１７】
本体または本体レール上のカウンター要素の配置はまた、このようなカウンター要素の簡単かつ特に後の取り付けを可能にする。
【００１８】
引出要素の側壁への機能ユニットの配置は、上記の先行技術で機能ユニットが取り付けられている引出ガイドのより小さな構造のさらなる利点を有する。
【００１９】
したがって、特に、引出として形成された引出要素の場合に、この引出の底部は、特に、引出ガイドの下端に至るまでかなり深く突出する可能性があり、したがって、これは、引出ガイドに取り付けられた機能ユニットの場合には不可能である。したがって、引出要素は、拡大された収納スペースを有する可能性がある。
【００２０】
本発明の有利な実施形態の変形例が、従属請求項の主題である。
【００２１】
本発明による家具または家電製品の構成要素の１つの有利な実施形態の変形例によれば、カウンター要素は、引出要素の開放方向の本体レールの後端、または本体レールの後端に近い本体の領域に配置されている。
【００２２】
さらなる有利な実施形態の変形例によれば、カウンター要素は、少なくとも２つの部分に形成されている。
【００２３】
したがって、カウンター要素のコンポーネントの時間オフセット取り付けが簡単に可能になる。
【００２４】
例えば、カウンター要素の基部は、本体レールまたは本体に標準的な方法で取り付けられている。引出要素の最終的な取り付け中に、含まれるべき機能要素の機能に応じて、特定のカウンター要素が基部に接続されている。
【００２５】
このような変形例のさらなる利点は、引出ガイドの移送中に、カウンター要素の突出しているコンポーネントのためにカウンター要素に損傷が生じ得ないことである。
【００２６】
さらなる有利な実施形態の変形例によれば、機能ユニットは、側壁のうちの一方の２つの壁領域の間の二重壁領域に配置されているため、外部から見えない。
【００２７】
さらなる有利な実施形態の変形例によれば、引出要素の開放方向の側壁の後端に、後部開放端面に向けて開いた収容スペースが、機能ユニットを収容するために形成されており、これは、サイドパネルの後端から機能ユニットの簡単な差し込みを可能にする。
【００２８】
あるいは、外壁要素が、移動可能に形成されているか、または内壁要素に後でのみ配置され得る場合に、機能ユニットは、対応する収容スペース内に下から、横から、または上から差し込むこともできる。
【００２９】
さらに、機能ユニットを取り外し可能に固定するための少なくとも１つの固定要素が、この収容スペースに配置されている。
【００３０】
この場合に、少なくとも１つの固定要素は、好ましくは、機能ユニットに形成された少なくとも１つのカウンターキャッチ要素でロックするためのキャッチ要素として形成されている。
【００３１】
したがって、このような機能ユニットの取り付けまたは取り外しは、簡単に可能になる。
【００３２】
プラスチックコアを有するサイドパネルの形態の側壁の場合に、このような固定要素をサイドパネルに直接形成することも考えられる。
【００３３】
これは、機能ユニットのハウジング等についても同様である。
【００３４】
側壁への機能ユニットの他の固定オプションも考えられる。
【００３５】
さらなる有利な実施形態の変形例によれば、カウンター要素は、側壁の後部開放端面を通って引出要素の閉位置で機能ユニットと接触している。
【００３６】
したがって、これにより、側壁の後部開放端を、機能ユニットの取り付けと、側壁に取り付けられた機能ユニットとのカウンター要素の係合の両方に使用することができる。
【００３７】
機能ユニット自体は、１つの好ましい実施形態の変形例による自己リトラクターデバイスを備えている。
【００３８】
さらなる有利な実施形態の変形例によれば、機能ユニットは排出デバイスを備えている。
【００３９】
機能ユニットは、格納動作を減衰させるために使用される減衰ユニットをさらに備えることができる。
【００４０】
１つの好ましい実施形態の変形例によれば、カウンター要素は、本体または本体レールに固定するための基部と、機能ユニット内で係合するためのヘッド部とを有するアクティベーターとして設計されている。
【００４１】
さらなる好ましい実施形態の変形例によれば、機能ユニットが、その閉位置の引出要素の解除可能なロックに使用されるロックユニットを備えていることも考えられる。
【００４２】
引出要素の機能ユニットを家具または家電製品の構成要素に上記のように取り付けるための本発明による方法では、引出要素の側壁に引出ガイドを取り付ける前に、少なくとも１つの機能ユニットが、側壁の後部開放端面または側壁の下部、側面、上部開口を通って差し込まれ、固定されている。
【００４３】
カウンター要素は、本体レールまたは本体に固定されている。
【００４４】
機能ユニットは、おそらく引出要素の仕上げ後に、取り付けられた状態では目に見えないように、側壁に配置されている。
【００４５】
本発明による方法の１つの好ましい実施形態の変形例によれば、２部品のカウンター要素の第１の部品は、本体レールまたは本体に事前に永久に固定され、サイドパネルへの機能ユニットの取り付けが完了した後に、カウンター要素の第２の部分が、カウンター要素の第１の部分に固定される。
【００４６】
本発明の好ましい例示的な実施形態が、添付の図面を用いて、以下により詳細に説明される。
【図面の簡単な説明】
【００４７】
【図１】引出要素が取り付けられた家具または家電製品の構成要素の本体の斜視図を示す図である。
【図２】引出ガイドが取り付けられ、家具本体に固定するための引出ガイドにアングルが固定された引出要素の斜視図を示す図である。
【図３】引出要素の側壁に引出ガイドおよび機能ユニットを取り付ける前の、図２に対応する引出要素の斜視図を示す図である。
【図４】引出要素の後部からの斜視図を示す図である。
【図５】引出要素の詳細の背面図を示す図である。
【図６】閉位置の引出要素の詳細の斜視図を示す図である。
【図７】閉位置の引出要素の側面図を示す図である。
【図８】開放方向の位置に移動された引出要素の側面図を示す図である。
【図９】カウンター要素の代替実施形態の変形例を有する、引出ガイドが取り付けられた引出要素の斜視図を示す図である。
【図１０】図９による引出要素の背面図を示す図である。
【発明を実施するための形態】
【００４８】
以下の図の説明において、上部、下部、左、右、前部、後部などの用語は、家具または家電製品の構成要素、本体、引出要素、側壁、引出ガイド、カウンター要素等の各図で、例として選択された図および位置にのみ関係する。これらの用語は限定的なものとして理解されるべきではない、すなわち、これらの参照は、異なる作業位置または鏡面対称の設計等のために変化する可能性がある。
【００４９】
本発明による家具の実施形態の変形例が、符号１により図１に示されている。
【００５０】
家具の構成要素１は、本体２を備え、その内部には、ここでは引出の形態で、少なくとも１つの引出要素３が取り付けられている。家具の構成要素１の代わりに、家電製品、例えば、冷蔵庫または冷凍庫に、家電製品の本体に取り付けられるこのような引出要素３を設けることも考えられる。
【００５１】
アングル１４は、引出要素３の移動可能な取り付けのために、本体２の側壁２１、２２に固定され、好ましくは、ネジ止めされている。図２に見られるように、引出ガイド５の本体レール５１は、ここでは水平に整列したこれらのアングル１４の脚に固定されている。
【００５２】
引出ガイド５は、例えば、図３に示されているように、ここでは底部に開いているサイドパネルとして形成された引出要素３の側壁４の収容スペース４１に収容されている。
【００５３】
側壁４は、ここでは固定要素５４を介して引出ガイド５のスライドレール５２に接続されている。ここに示された引出要素３は、前壁１１、後壁１２、および底部１３をさらに備えている。
【００５４】
引出要素３の側壁は、好ましくは、二重壁構造を有するサイドパネルとして設計されている。
【００５５】
特に、家電製品の引出要素の場合に、二重壁構造は、側壁の高さ全体に及ぶのではなく、一部、例えば、上部３分の１にのみ及ぶ。
【００５６】
引出ガイド５は、例えば、図３および図７に示されているように、好ましくは、本体レール５１およびスライドレール５２に加えて、本体レール５１とスライドレール５２との間に配置された中間レール５３を備えている。
【００５７】
図２にさらに示されているように、機能ユニット６は、サイドパネル４の後部領域に配置されている。
【００５８】
この機能ユニット６は、図３から明らかなように、サイドパネル４の別の収容スペース４２に収容され、引出ガイド５から離れてサイドパネル４に取り外し可能に配置されている。
【００５９】
図４に示されているように、機能ユニット６は、好ましくは、二重壁領域に配置されているため、側壁４のうちの一方の２つの壁領域の間の外部から見えない。
【００６０】
図４および図５に示されているように、機能ユニット６が配置された収容スペース４２は、外壁４７により本体側壁２１、２２に対して隠されている。外壁４７は、好ましくは、この場合に、本体側壁２１、２２に対して側壁４全体を隠している。
【００６１】
外壁４７は、好ましくは、その上端でＵ字形に曲がり、この場合に下に位置する外壁４３または収容スペース４２を覆う。
【００６２】
引出要素３の側壁４への機能ユニット６の配置のために、特に引出として設計された引出要素３の場合に、この引出の底部１３は、かなり下へ、特に引出ガイド５の下端に至るまで突出することができ、これは、引出要素３の収納スペースの拡大を可能にする。
【００６３】
さらに、図２に示された実施形態の変形例では、ここではアクティベーターの形態のカウンター要素７が本体レール５１に固定されている。このカウンター要素７は、本体２に関する引出要素３の所定の位置で機能ユニット６に動作可能に接続されている。
【００６４】
図３でさらに明らかなように、ここではアクティベーターとして設計されたカウンター要素７は、本体レール５１の前面開口部に差し込み可能な基部７１を備えている。
【００６５】
第１のアーム７２は、この基部７１からスライドレール５２を越えるまで上方に垂直に延びる。第１のアーム７２の端部には、第２のアーム７３が形成され、これは、スライドレール５２の長手方向に所定の距離だけスライドレール５２を越えて延びている。
【００６６】
第２のアーム７３の自由端では、ヘッド部７４が上方に延びており、これは、引出ガイド５の上に配置された機能ユニット６内で上方に係合している。
【００６７】
機能ユニット６は、図６から図８に示された実施形態の変形例では、自己リトラクターデバイス８として設計されている。
【００６８】
それ自体は既知である自己リトラクターデバイス８は、この場合に、減衰ユニット８２が固定されているハウジング８１を備えている。この減衰ユニット８２の前端には、ヘッド部７４を収容するための凹部を備えているレバー８４が配置されている。
【００６９】
このレバー８４は、ここでは、ガイド溝８６を有するガイドハウジング８５に取り付けられており、開放方向ｘと直角に整列した旋回軸の周りに傾斜可能である。
【００７０】
引出要素３が開放方向ｘに移動すると、これにより、レバー８４は、開放方向ｘに延びているガイド溝に沿ってガイドハウジング８５内を移動することができ、ガイドハウジング８５は、引出要素３とともに開放方向ｘに移動し、レバー８４は、カウンター要素７のヘッド部７４との係合により、その位置に固定される。
【００７１】
このガイド溝８６の端部には、ガイド溝８６が杖(walking stick)として形成されているため、レバー８４はロック位置に回転し、同時に、カウンター要素７のヘッド部７４は、自己リトラクターデバイス８のレバー８４から外れる。
【００７２】
レバー８４およびハウジング８１に固定された牽引バネ８３が、引出要素３の開放方向ｘへの移動とともに引っ張られる。
【００７３】
引出要素３が続いて開位置から閉位置に所定の位置から再び移動するとすぐに、カウンター要素７のヘッド部７４は、再びレバー８４と係合し、それをロック位置から解放し、したがって、それを、ヘッド部７４を介して、本体２に関して固定する。
【００７４】
引出要素３は、ここでは、牽引バネ８３のバネ力により閉位置に引かれる。
【００７５】
減衰ユニット８２は、ここでは、閉鎖動作の減衰を引き起こし、本体２への引出要素３の強い衝撃および／または本体レール５１へのスライドレール５２の衝撃を防止する。
【００７６】
機能ユニット６へのこのような自己リトラクターデバイス８の配置に加えて、追加的または代替的に、機能ユニット６に排出デバイスまたはロックユニットを組み込むことも考えられる。
【００７７】
機能ユニット６は、好ましくは、実質的にアダプターハウジング６１により囲まれ、全体としてサイドパネル４の収容スペース４２に取り付け可能である。
【００７８】
機能ユニット６の簡単な固定のために、図３および図６から図８に明らかなように、機能ユニット６の解放可能な固定のために、少なくとも１つの固定要素４４が配置されている。
【００７９】
ここに示された実施形態の変形例では、複数のこのような固定要素４４が収容スペース４２に配置されている。このような固定要素４４は、好ましくは、機能ユニット６に形成された少なくとも１つのカウンターキャッチ要素でロックするためのキャッチ要素として設計されている。
【００８０】
図２から図８に示されているように、カウンター要素７は、サイドパネル４の後部開放端面４５を通って引出要素３の閉位置で機能ユニット６と接触している。
【００８１】
図９および図１０に示された実施形態の変形例では、カウンター要素１５は、本体２の側壁２１、２２に面するサイドパネル４の外壁４３の開口部４６を通って引出要素３の閉位置で機能ユニット６と接触している。
【００８２】
サイドパネル４の外壁４３の開口部４６は、好ましくは、スロットとして具体化されているため、本体レール５１またはアングル１４に固定されたカウンター要素１５は、開放方向ｘと直角にスロット内に突出している。機能ユニット６はまた、カウンター要素１５の係合のためのスロットとして形成された開口部４６を除いて、ここでは、外壁４３により完全に隠されている。
【００８３】
カウンター要素７、１５は、ここに示された実施形態の変形例では、本体２または本体レール５１に固定するための基部７１、１５１と、機能ユニット６内で係合するためのヘッド部７４、１５２とを有するアクティベーターとして設計されている。
【００８４】
カウンター要素７、１５が少なくとも２つの部分に形成されている場合に、それは特に有利である。
【００８５】
この場合に、家具または家電製品の構成要素への引出要素３の機能ユニット６の取り付け中に、引出要素３のサイドパネル４への引出ガイド５の取り付けが完了した後に、機能ユニット６を、例えば、サイドパネル４の後部開放端面４４を通って差し込み、それを固定して、カウンター要素７、１５を、本体レール５１または本体２に固定することが可能である。
【００８６】
機能ユニット６を、対応する収容スペース４２に下から、または横から、または上から差し込むことも考えられる。この目的のために、例えば、外壁要素４７を移動可能に設計するか、または、この場合に、内壁要素である外壁４３上にそれを後でのみ配置することが考えられる。
【００８７】
カウンター要素７、１５の複数部分設計では、基部７１、１５１を、本体レール５１、アングル１４、または本体２自体に事前に固定することができ、機能ユニット６の取り付けが完了した後に、ヘッド部７４、１５２を含むカウンター要素７、１５の第２の部分を、カウンター要素７、１５の第１の部分に取り付ける、特にしっかり留める（clip）ことができる。
【００８８】
これは、特に、引出ガイド５の移送中にアクティベーターアーム７２、７３が損傷しないという利点を有する。
【００８９】
全体的に、特に機能ユニットの後付けに関して、側壁のこの目的のために設けられた開口部への取り付けにより特に簡単に実行できる、さらに簡素化された取り付けが、本発明による家具または家電製品の構成要素を使用することで得られる。
【符号の説明】
【００９０】
１        家具
２        本体
２１      側壁
２２      側壁
３    引出要素
４  サイドパネル
４１  収容スペース
４２  収容スペース
４３      外壁
４４  固定要素
４５      端面
４６    開口部
４７      外壁
５    引出ガイド
５１  本体レール
５２  スライドレール
５３  中間レール
５４  固定要素
６    機能ユニット
６１  アダプターハウジング
７    カウンター要素
７１      基部
７２  第１のアーム
７３  第２のアーム
７４  ヘッド部
８    自己リトラクターデバイス
８１  ハウジング
８２  減衰ユニット
８３  牽引バネ
８４      レバー
８５  ガイドハウジング
８６  ガイド溝
１１      前壁
１２      後壁
１３      底部
１４  アングル
１５  カウンター要素
１５１    基部
１５２    ヘッド部
ｘ    開放方向
【図１】
2021514822.tif 000003
【図２】
2021514822.tif 000004
【図３】
2021514822.tif 000005
【図４】
2021514822.tif 000006
【図５】
2021514822.tif 000007
【図６】
2021514822.tif 000008
【図７】
2021514822.tif 000009
【図８】
2021514822.tif 000010
【図９】
2021514822.tif 000011
【図１０】
2021514822.tif 000012
【国際調査報告】
2021514822.tif 000013
2021514822.tif 000014
2021514822.tif 000015
2021514822.tif 000016